(57)【特許請求の範囲】
【請求項１】
少なくとも一対の電気泳動用電極に電圧を印加して、検体を電気泳動させ、プローブと接触させる装置であって、
前記プローブを固定した高分子ゲルを内部に充填した貫通孔部を持つ、バイオチップと、
前記バイオチップを保持し、且つ該バイオチップの周囲に前記検体が収容可能なチップ設置部と、
その内部に前記チップ設置部を配置し、該チップ設置部の周囲にバッファ液を収容し、前記チップ設置部内の前記バイオチップの貫通孔部の、開口面の平面と平行な側面のそれぞれに、前記少なくとも一対の電極のそれぞれを配置したバッファ液槽と、
前記電気泳動中に、前記バッファ液槽を、検体が重力の影響を受けないような方向に回転させる回転機構と、を備える、
生体関連物質検出用反応装置。
【請求項２】
請求項１に記載の装置であって、
前記回転機構は、前記バイオチップの貫通孔部の、開口面の平面内、又はこれと平行な平面内にて延びる水平方向の回転軸を中心に、前記バッファ液槽を回転させる、
生体関連物質検出用反応装置。
【請求項３】
請求項１に記載の装置であって、
前記回転機構は、前記バイオチップの貫通孔部の、開口面の平面内の任意の位置と垂直に交差する回転軸を中心に、前記バッファ液槽を回転させる、
生体関連物質検出用反応装置。
【請求項４】
請求項１に記載の装置であって、
前記電気泳動用電極に印加する電圧の極性を反転する極性反転スイッチを備え、
前記バイオチップに対する検体の位置に応じて、前記各電極に印加する電圧の極性を制御する、
生体関連物質検出用反応装置。
【請求項５】
請求項１に記載の装置であって、
前記電気泳動用電極に印加する電圧の極性を反転する極性反転スイッチと、
前記電気泳動用電極に印加する電圧を制御する制御部と、を備え、
前記バッファ液槽の回転角度に応じて、前記各電極に印加する電圧の極性、及び絶対値を制御する、
生体関連物質検出用反応装置。
【請求項６】
請求項１に記載の装置であって、
前記バッファ液槽の一部に、前記バッファ液中の残留気泡が、前記バイオチップの貫通孔部の、開口面の平面であるチップ平面を平行に移動するのを防止する残留気泡誘導壁を設ける、
生体関連物質検出用反応装置。
【請求項７】
請求項１に記載の装置であって、
前記バッファ液槽内の前記バイオチップと、前記電気泳動用電極との間で、且つ該電極と、前記バイオチップの貫通孔部とを結んだ直線を遮る位置に、前記バッファ液中の前記電気泳動電極から発生する気泡が前記バイオチップの貫通孔部の、開口面の平面であるチップ平面に達するのを防止する気泡防護壁を設ける、
生体関連物質検出用反応装置。
【請求項８】
請求項１に記載の装置であって、
前記電気泳動用電極を、該電気泳動用電極から前記バイオチップの貫通孔部の、開口面の平面である水平面に対して下した垂線が、該バイオチップの貫通孔部に交差しない位置に配置する、
生体関連物質検出用反応装置。
【発明の詳細な説明】
【技術分野】
【０００１】
本発明は、核酸（ＤＮＡ又はＲＮＡ）、タンパク質等を含む生体関連物質試料をプローブと反応させるための装置に関するものである。
【背景技術】
【０００２】
近年、各種生物におけるゲノムプロジェクトが進められており、ヒト遺伝子をはじめとして、多数の遺伝子とその塩基配列が急速に明らかにされつつある。配列の明らかにされた遺伝子の機能については、各種の方法で調べることができるが、その有力な方法の一つとして、明らかにされた塩基配列情報を利用した遺伝子発現解析が知られている。例えば、ノーザンハイブリダイゼーションに代表されるような、各種の核酸−核酸間ハイブリダイゼーション反応や各種のＰＣＲ反応を利用した方法が開発され、当該方法により各種遺伝子とその生体機能発現との関係を調べることができる（特許文献１参照）。
【０００３】
しかしながら、これらの方法では適用し得る遺伝子の数に制限がある。したがって、前記方法で、今日のゲノムプロジェクトを通して明らかにされつつあるような、一個体レベルという極めて多数の遺伝子から構成される複雑な反応系全体に対して、遺伝子の総合的・系統的解析を行うことは困難である。
【０００４】
そこで、これを解決する方法として、近年、多数遺伝子の一括発現解析を可能とするＤＮＡマイクロアレイ法（ＤＮＡチップ法）と呼ばれる新しい分析法、ないし方法論が開発され、注目を集めている。このＤＮＡマイクロアレイ法は、核酸−核酸間ハイブリダイゼーション反応に基づく核酸検出・定量法である点で原理的には従来の方法と同じであるが、マイクロアレイ又はチップと呼ばれる平面基盤片上に、多数のＤＮＡ断片が高密度に整列固定化されたものが用いられている点に大きな特徴がある。
【０００５】
ＤＮＡマイクロアレイ法の具体的使用法としては、例えば、研究対象細胞の発現遺伝子等を蛍光色素等で標識したサンプルを平面基盤片上でハイブリダイゼーションさせ、互いに相補的な核酸（ＤＮＡ又はＲＮＡ）同士を結合させ、その箇所を蛍光色素等でラベル後、高解像度解析装置で高速に読みとる方法が挙げられ、この方法を用いることにより、サンプル中に含まれるそれぞれの遺伝子量を迅速に推定できる。この新しい方法の導入により、反応検体の微量化と、その反応検体を、再現性よく、多量・迅速・系統的に分析、定量することが可能となってきた。
【０００６】
そして、従来では、核酸などの生体関連物質プローブがゲルに固定化されている、新規なマイクロアレイの製造法が開発され（特許文献２参照）、またさらに、そのようなマイクロアレイを用いて、核酸（ＤＮＡ又はＲＮＡ）が電解質溶液中で負の電荷を持つという特徴を利用して、試料ＤＮＡ等を含む検体をゲル内で電気泳動により強制的に移動させながら、ゲル内に固定化されたプローブとハイブリダイゼーションさせ、検体を検出する核酸検出装置及び核酸検出方法も開発されている（特許文献３，４参照）。
【０００７】
以下、図１２及び図１３を用いて、従来のハイブリダイゼーション装置の構成について説明する。
図１２に示す従来のハイブリダイゼーション装置２００は、図１３に示す中空繊維で形成された貫通孔部２０７ａ中に核酸（ＤＮＡ又はＲＮＡ）のプローブを有したゲルを保持したバイオチップ２０７と、電気泳動を行うための第１の電極２０２ａ及び第２の電極２０２ｂと、検体である核酸（ＤＮＡ又はＲＮＡ）を含む検体液を保持する検体液槽２１８およびバッファ液を保持するバッファ液槽２１９と、半透膜２２０と、支持体２０１と、前記電極間に電圧に印加するための電源２１６とを備え、第１の電極２０２ａ、バッファ液槽２１９、半透膜２２０、バイオチップ２０７、検体液槽２１８、第２の電極２０２ｂの順に積層されている。
【０００８】
以上の構成により、電極２０２ａ，ｂ間に電圧を印加することによって電気泳動が行われ、支持体２０１に保持された検体中の核酸（ＤＮＡ又はＲＮＡ）を強制的にバイオチップ２０７の貫通孔部２０７ａ内に導くことにより、該貫通孔部２０７ａ中の核酸（ＤＮＡ又はＲＮＡ）のプローブとハイブリダイズさせるものである。
【０００９】
しかし、図１２に示す従来の構成では、前記第１の電極２０２ａ、バッファ液槽２１９、半透膜２２０、バイオチップ２０７、検体液槽２１８、第２の電極２０２ｂが順に下から積層されて構成されるため、装置製作時に、検体液あるいはバッファ液に含まれる気泡が各槽内に残留しやすく、またその残留した残留気泡を各槽から取り除くのはその構成上困難という問題がある。そして、前述した各槽内の残留気泡は、前記バイオチップ２０７に付着すると、検体の電気泳動が阻害され、ハイブリダイゼーションの効率が低下するという問題が生じる。
【００１０】
また、前記電極２０２ａ，２０２ｂ間に電圧を印加し電気泳動を行うと、バッファ液が電気分解することにより、該各電極２０２ａ，２０２ｂの表面からガスが発生するが、該気泡によって、検体が意図した方向に泳動することが阻害され、ハイブリダイゼーションの効率が低下するという問題も生じる。
【００１１】
この問題を解決する生体関連物質検出用反応装置として、例えば、図１４に示すように、前記各槽を前記バイオチップ２０７を介して左右に並置することが考えられる。このようにすれば、前記残留気泡が前記バイオチップ２０７に付着することがなくなり、また前記電極２０２ａ，ｂから発生する気泡も支持体２０１のほうに流れるため、検体の電気泳動が阻害され、ハイブリダイゼーションの効率が低下することはない。
【特許文献１】特開平３−４７０９７号公報
【特許文献２】特開２０００−２７０８７８号公報
【特許文献３】特開２０００−６０５５４号公報
【特許文献４】特開２００４−２１９１０３号公報
【発明の開示】
【発明が解決しようとする課題】
【００１２】
しかしながら、前述した図１４に示す構成の装置では、電気泳動による強制ハイブリダイゼーションを行うとき、核酸（ＤＮＡ又はＲＮＡ）を修飾する蛍光色素の種類によるものなどの条件の違いによって、核酸が重力の影響を受ける場合がある。そして、このように検体中の核酸が重力の影響を受けた場合、該検体液槽２１８中の核酸濃度が、上方に比べて下方のほうが高くなり、結果的に、一つのバイオチップ７内の各貫通孔部２０７ａにおいて、上方の貫通孔部２０７ａよりも下方の貫通孔部２０７ａのハイブリダイゼーション強度が強くなるという問題が生じる。なお、前記ハイブリダイゼーション強度とは、バイオチップの各貫通孔部２０７ａ内で、検体となる核酸とプローブとなる核酸を一組とするハイブリダイズした総数を意味する。
【００１３】
本発明は、電気泳動による強制ハイブリダイゼーションにおいて、安定したハイブリダイゼーション強度、及び蛍光検出に必要十分なハイブリダイゼーション強度を得ることができる生体関連物質検出用反応装置を提供することを目的とする。
【課題を解決するための手段】
【００１４】
前記従来の課題を解決するために、本発明の生体関連物質検出用反応装置は、少なくとも一対の電気泳動用電極に電圧を印加して、検体を電気泳動させ、プローブと接触させる装置において、前記プローブを固定した高分子ゲルを内部に充填した貫通孔部を持つバイオチップと、前記バイオチップを保持し、且つ該バイオチップの周囲に前記検体を収容するチップ設置部と、その内部に前記チップ設置部を配置し、該チップ設置部の周囲にバッファ液を収容し、前記チップ設置部内の前記バイオチップと平行な側面のそれぞれに、前記少なくとも一対の電極のそれぞれを配置したバッファ液槽と、前記電気泳動中に、前記バッファ液槽を回転させる回転機構と、を備えるものである。
これにより、検体中の核酸の沈殿によらず、安定したハイブリダイゼーション強度および蛍光検出に必要十分なハイブリダイゼーション強度を得ることができる。
【００１５】
また、本発明の生体関連物質検出用反応装置は、前記回転機構は、前記バイオチップの前記貫通孔部の開口面の平面内、又はこれと平行な平面内にて延びる回転軸を中心に、前記バッファ液槽を回転させるものである。
これにより、重力によって沈殿する検体中の核酸の移動方向を、前記バイオチップに対して分散することができる。
【００１６】
さらに、本発明の生体関連物質検出用反応装置は、前記回転機構は、前記バイオチップの貫通孔部の開口面の平面内の任意の位置と垂直に交差する回転軸を中心に、前記バッファ液槽を回転させるものである。
これにより、重力によって沈殿する検体中の核酸の移動方向を、前記バイオチップに対して分散することができる。
【００１７】
また、本発明の生体関連物質検出用反応装置は、前記電気泳動用電極に印加する電圧の極性を反転する極性反転スイッチを備え、前記バイオチップに対する検体の位置に応じて、前記各電極に印加する電圧の極性を制御するものである。
これにより、前記バイオチップに対する、前記検体の位置によって生じる、核酸の泳動距離差をなくし、核酸の安定した移動度を得ることができる。  また、本発明の生体関連物質検出用反応装置は、前記電気泳動用電極に印加する電圧の極性を反転する極性反転スイッチと、前記電気泳動用電極に印加する電圧を制御する制御部と、を備え、前記バッファ液槽の回転角度に応じて、前記各電極に印加する電圧の極性、及び絶対値を制御するものである。
これにより、前記バイオチップに対する、前記検体の位置や電気泳動方向によって生じる、核酸の泳動距離差をなくし、核酸の安定した移動度を得ることができる。
【００１８】
また、本発明の生体関連物質検出用反応装置は、前記バッファ液槽の一部に、前記バッファ液中の残留気泡が、前記バイオチップのチップ平面を平行に移動するのを防止する残留気泡誘導壁を設けるものである。
これにより、前記バッファ液槽を回転させた際に、前記残留気泡が前記バイオチップのチップ平面に付着するのを防止でき、安定したハイブリダイゼーション強度を得ることができる。
【００１９】
また、本発明の生体関連物質検出用反応装置は、前記電気泳動用電極を、該電気泳動用電極から前記バイオチップの水平面に対して下した垂線が、該バイオチップの貫通孔部に交差しない位置に配置するものである。
これにより、前記バッファ液槽を回転させた際に、バッファ液の電気分解によって電極表面から発生する気泡が、前記バイオチップのチップ平面に達するのを防止でき、安定したハイブリダイゼーション強度を得ることができる。
【００２０】
また、本発明の生体関連物質検出用反応装置は、前記バッファ液槽内の前記バイオチップと、前記電気泳動用電極との間で、且つ該電極と、前記バイオチップの貫通孔部とを結んだ直線を遮る位置に、前記バッファ液中の前記電気泳動電極から発生する気泡が前記バイオチップのチップ平面に達するのを防止する気泡防護壁を設けるものである。
これにより、前記バッファ液槽を回転させた際に、バッファ液の電気分解によって電極表面から発生する気泡が、前記バイオチップのチップ平面に達するのを防止でき、安定したハイブリダイゼーション強度を得ることができる。
【００２１】
さらに、本発明の生体関連物質検出用反応装置において、前記気泡防護壁が半透膜であるものである。
【００２２】
さらに、本発明の生体関連物質検出用反応装置において、前記気泡防護壁が絶縁体であるものである。
【００２３】
また、本発明の生体関連物質検出用反応装置は、前記バッファ液槽は、該バッファ液槽内の前記バッファ液を移送させる液送機構を備えたものである。
これにより、前記バッファ液槽を回転させた際に、バッファ液の電気分解によって電極表面から発生する気泡が、前記バイオチップのチップ平面に達するのを防止でき、安定したハイブリダイゼーション強度を得ることができる。
【００２４】
さらに、本発明の生体関連物質検出用反応装置は、前記液送機構は、前記バッファ液槽にバッファ液を、それぞれ流入、排出するバッファ液流入口、及びバッファ液排出口と、前記バッファ液槽の内外にバッファ液を循環させる駆動機構と、を備えるものである。
これにより、前記バッファ液槽中のバッファ液と強制的に流動させて前記気泡をバッファ液槽外に移動させて回収することができる。
【発明の効果】
【００２５】
本発明の生体関連物質検出用反応装置によれば、少なくとも一対以上の電気泳動用電極と、前記電極に電圧を印加する電源部と、プローブを固定した高分子ゲルを内部に充填した貫通孔部を持つバイオチップと、前記バイオチップの周囲に検体を収集し保持することが可能なチップ設置部と、前記チップ設置部の周囲をバッファ液で満たすとともに、前記電気泳動用電極をその内部に配置したバッファ液槽と、前記バイオチップもしくは前記バッファ液槽を回転させる回転機構とを設けるようにしたので、電気泳動による強制ハイブリダイゼーションにおいて、検体中の核酸が重力による影響を受けた場合であっても、前記バッファ液槽またはバイオチップを回転させることにより、重力による影響によらず、核酸の安定した移動度を得ることができ、安定したハイブリダイゼーション強度を得ることができる。
【００２６】
また、本発明の生体関連物質検出用反応装置によれば、前記電源部が、前記電気泳動用電極に印加する電圧の極性を反転する極性反転スイッチを備え、前記バッファ液槽の回転角度に応じて、前記電極に印加する電圧の極性、及び該各電極に印加する電圧の絶対値を制御するようにしたので、安定した移動度が得られ、より安定したハイブリダイゼーション強度を得ることができる。
【００２７】
また、本発明の生体関連物質検出用反応装置によれば、前記バッファ液槽の一部に、前記バッファ液槽の回転時に、当該装置内に残留した気泡、あるいはバッファ液の電気分解による電極表面からの気泡が、前記バイオチップ面に付着するのを防止する壁を設けるようにしたので、核酸の安定した移動度を得ることができ、安定したハイブリダイゼーション強度を得ることができる。
【発明を実施するための最良の形態】
【００２８】
（実施の形態１）
以下に、本発明の装置の実施の形態を図面とともに詳細に説明する。
以下、実施の形態１における装置について説明する。
まず、図１及び図２を用いて、本実施の形態１の装置の構成について説明する。図１は、本発明の実施の形態１における装置の構成を示す図であり、図（ａ）は装置の斜視図であり、図（ｂ）はそのＡ−Ａ断面図である。また、図２は、本実施の形態１における装置の一構成部分の詳細を示す図であり、図（ａ）は、バイオチップの構成を示す図であり、図（ｂ）はチップ設置部の構成を示す断面図である。
【００２９】
図１において、本実施の形態１の装置は、後述するバイオチップ７を保持するチップ設置部１と、前記チップ設置部１の周囲を電気泳動に必要な電解質溶液であるバッファ液で満たすことが可能な、電気的絶縁材料からなるバッファ液槽４と、該バッファ液槽４内に設けられた一対の電気泳動用電極である第１，第２の電極２ａ，２ｂと、前記チップ設置部１を固定し、且つ前記バッファ液槽４内を２つの槽に仕切る仕切り板８と、前記バッファ液槽４を密閉する蓋部９と、前記電気泳動用電極２ａ，２ｂに電力を供給する電源部３と、前記バッファ液槽４を回転させるための回転機構１０とを具備している。
【００３０】
以下、詳述すると、前記チップ設置部１は、図２（ｂ）に示すように、厚みが薄い直方体形状の本体に、図２（ａ）に示すプローブを固定した高分子ゲルを内部に充填した複数の貫通孔部７ａを持つバイオチップ７が中央に設けられ、該バイオチップ７の一方側に、検体を収容可能な検体収容部１８が、もう一方側に前記バッファ液を収容可能なバッファ液収容部１９が設けられ、該検体収容部１８及びバッファ液収容部１９に、検体及びバッファ液を注入する注入口２１を有している。さらに、前記チップ設置部１の本体の、バイオチップ７と平行な両側面には、円形開口部８ａが設けられ、該開口部８ａは、それぞれ半透膜２０が密接されている。この半透膜２０は、例えばセルロース、アセチルセルロース、ポリアクリロニトリルあるいはポリスルホンの多孔質膜など、一定の大きさ以下の分子またはイオンのみを透過させる膜であり、イオンは通過するが核酸は通過しない性質の膜である。
【００３１】
なお、本実施の形態１の前記バイオチップ７は、貫通孔部７ａを形成するために例えば中空繊維に代表される管状体を用い、その内部にプローブとして機能する核酸を固定し、前記管状体をアレイ状に複数個配列して配列体を形成し、前記管状体の長手方向を交差する方向に切断することで得た薄片であるものとする。
【００３２】
前記電源部３は、電気泳動用電極２ａ，２ｂに電力を供給するための電気泳動用電源５と、該電気泳動用電源５の極性を反転させるための極性反転スイッチ６とを備える。なお、本実施の形態１では、前記極性反転スイッチ６は、前記電気泳動用電源５の極性を反転するだけでなく、電気泳動を開始、終了できるスイッチの役割も兼ねているものとし、前記バッファ液槽４内の電極２ａ，２ｂは、前記電源５と前記極性反転スイッチ６を介して電源コード等によって接続され、所定の電圧が印加されるものとする。
【００３３】
前記回転機構１０は、前記バッファ液槽４の側面に設けられた回転軸部１１と、該回転軸部１１を支持する、バッファ液槽４の周囲に設けられた回転軸支持部１２と、前記回転軸部１１に接続されたバッファ液槽ギア部１３と、該バッファ液槽ギア部１３に回転動力を伝達するモータギア部１４及びモータ１５と、該モータ１５の回転駆動を制御するモータ制御部１６と、該モータ制御部１６に電力を供給するバッテリー部１７とを備える。
【００３４】
ここで、前記モータ１５については、例えばステッピングモータ、ＤＣサーボモータ、超音波モータなど、回転角や回転数を制御できるものが好ましい。
【００３５】
また、前記電気泳動用電極２ａ，２ｂの材質としては白金が好ましく、前記バッファ液としては、トリス−ホウ酸バッファ（ＴＢ）、トリス−酢酸バッファ（ＴＡ）、塩化ナトリウム−クエン酸ナトリウム（ＳＳＣ）等の電解質溶液を用いるのが好ましい。
【００３６】
次に、以上のように構成された装置１００の動作を説明する。
まず、ハイブリダイゼーションを行う際、前記バイオチップ７をチップ設置部１内に装着し、チップ設置部１に設けた注入口２１からピペットなどを利用して前記検体収容部１８へ一本鎖の核酸を電解質溶液に溶解した検体を注入する。また、もう一方のバッファ液収容部１９に対しても同様にバッファ液を注入する。
【００３７】
次に、前記チップ設置部１を前記バッファ液槽４内に仕切り板８と共に固定し、該バッファ液槽４内に、前記チップ設置部１周囲にバッファ液が十分満たされるまでバッファ液を充填し、前記蓋部９にてバッファ液槽４を密閉する。このときの当該装置１００に対するバッファ液槽４の位置を、標準位置とする。
【００３８】
この標準位置において、前記バッファ液槽４内のバッファ液、及びチップ設置部１内の検体液或いはバッファ液をハイブリダイゼーション可能な温度まで昇温した後、所定時間、前記バッファ液槽４を回転機構１０により回転させながら、電気泳動用電極２ａ，２ｂに、電気泳動用電源５と極性反転スイッチ６を介して電力を供給して電気泳動を行う。
【００３９】
詳述すると、電気泳動を行なう際に、モータ制御部１６の制御により、モータ１５にバッテリー部１７から電力を供給して動作させ、該モータ１５の動力を、モータギア部１４及びバッファ液槽ギア部１３を介して前記バッファ液槽４に伝えて回転させる。
【００４０】
このように、電気泳動中に前記バッファ液槽４を回転させることにより、重力によって沈殿する検体中の核酸の移動方向を、バイオチップ７に対して分散することができる。
【００４１】
前記電極２ａ，２ｂ間で電気泳動が行なわれると、前記検体収容部１８に注入された検体中の核酸は、電解質溶液中でマイナスの電荷を持つため、電気泳動用電極２ａ，２ｂの陽極側へと移動する。この結果、前記検体収容部１８の一本鎖の核酸は、バイオチップ７の貫通孔部７ａ内を通過する際に、型が一致するプローブである一本鎖の核酸とハイブリダイズする。
【００４２】
前記核酸が貫通孔部７ａ内を１回通過するだけでは、十分なハイブリダイゼーション数が得られない場合は、前記極性反転スイッチ６で電気泳動用電極２ａ，２ｂの極性を反転させることにより、逆方向へと核酸を泳動させ再び貫通孔部７ａ内部を通過させるようにする。
【００４３】
そして、以上に示した前記極性反転スイッチ６による極性反転を一定時間間隔で繰り返すことで、蛍光検出に十分なハイブリダイゼーション強度を得る。なお、このときの極性を反転させるタイミングは、検体中の核酸の鎖の長さ、または電気泳動距離（半透膜間の距離）などに応じて任意に設定されるものである。もちろん、前記検体中の核酸によっては、前記極性反転スイッチ６により前記電極２ａ，２ｂの極性を一定時間間隔で反転させなくとも、１回の通過で十分なハイブリダイゼーション数が得られる場合もある。
【００４４】
ここで、図３を用いて、前記回転機構１０によりバッファ液槽４を回転させた際のバイオチップ７の動きについて説明する。
前述したように、チップ設置部１に取り付けられたバイオチップ７、及び電気泳動電極２ａ，２ｂは、バッファ液槽４中に設けられているため、前記回転機構１０によりバッファ液槽４を回転させると、前記バイオチップ７及び電気泳動用電極２ａ，２ｂは、バッファ液槽４と共に回転する。従って、バッファ液槽４を回転させたとしても、電気泳動によって核酸が力を受ける方向は、バイオチップ７の貫通孔部７ａに対して常に対向している。
【００４５】
そして、前記バッファ液槽４を回転させると、図３に示すように、バイオチップ７の中心で、且つ該バイオチップ７の貫通孔部７ａの開口面上に存在する直線が回転軸となる。
【００４６】
なお、前述では、前記バッファ液槽４を一定方向に連続的に回転させるとしたが、回転の方法はこれに限るものではない。例えば、前記バッファ液槽４を前記標準位置から所定位置まで回転させ、その位置で所定時間停止させた後、再び回転させるような断続的な回転であってもよいし、あるいは、途中で回転方向を反転させるものであってもよい。また、前記バッファ液槽４は必ずしも１回転させる必要はなく、前記バッファ液槽４を所定角度間で振り子のように動作させるものであってもよい。さらに、バッファ液槽４を振動させながら回転させるようにしてもよい。この動作は、当該装置１００を振動装置上に設置し、装置１００全体を振動させながらバッファ液槽４を回転させることで実現できる。
【００４７】
また、前記バイオチップ７を回転する際の回転軸の位置についても、前述した図３に示したものに限らない。例えば、前記回転軸は、図４に示すように、バイオチップ７の中心で、且つバイオチップ７の貫通孔部７ａの開口面と垂直に交差する直線の位置にあってもよい。このような回転軸で前記バイオチップ７を回転させる場合は、前記回転機構１０の回転軸部１１を、図１（ａ）に示すＡ−Ａ方向に設けるようにすればよい。
【００４８】
また、前記回転軸は、図３，４に示したように前記バイオチップ７の中心を通る必要はなく、図５（ａ）〜（ｃ）に示すように、バイオチップ７の中心と交差しない直線、さらにはバイオチップ７の一部と交差しない直線を回転軸としてもよい。例えば、図５（ａ）では、バイオチップ７と交差しない、バイオチップ７の貫通孔部７ａの開口面と平行である平面上に存在する直線を回転軸とし、また図（ｂ）では、バイオチップ７と交差しない、バイオチップ７の貫通孔部７ａの開口面の延長平面と垂直に交差する直線を回転軸としてもよい。このように、前記バイオチップ７の一部と交差しない位置に回転軸が位置する場合は、矩形状のバッファ液槽４の中心である、バイオチップ７が設置される位置ではなく、その位置から所定の距離だけずれた位置に回転軸部１１を設けるようにする。さらに、前記回転軸は、図５（ｃ）に示すように、バイオチップ７と交差せず、且つバイオチップ７の貫通孔部７ａの開口面の延長平面と所定角度をもつ直線であってもよい。この場合、バイオチップ７が傾いた状態で回転する。
【００４９】
以上のように、本実施の形態１の装置１００によれば、バッファ液槽４内に、バイオチップ７を保持するチップ設置部１と一対の電気泳動用電極である第２の電極２ａ，２ｂと、前記チップ設置部１を固定し、且つ前記バッファ液槽４内を２つの槽に仕切る仕切り板８と、前記バッファ液槽４を密閉する蓋部９と、前記電気泳動用電極２ａ，２ｂに電力を供給する電源部３と、前記バッファ液槽４を回転させるための回転機構１０とを備えるようにしたので、ハイブリダイゼーションを行うとき、検体中の核酸が重力による影響を受けた場合であっても、電気泳動させながらバッファ液槽４を回転させることで、バイオチップ７に対する核酸の重力による移動方向を分散することができるため、核酸の安定した移動度を得ることが可能となり、安定したハイブリダイゼーション強度を得ることができる。
【００５０】
また、本実施の形態１によれば、前記バイオチップ７及び電気泳動用電極２ａ，２ｂを、バッファ液槽４内に設けるようにしたので、前記回転機構１０によりバッファ液槽４を回転させても、電気泳動によって核酸が力を受ける方向をバイオチップ７に対して一定にできるため、バイオチップ７内の各貫通孔部７ａにおいて、安定したハイブリダイゼーション強度を得ることができる。
【００５１】
また、本実施の形態１によれば、前記極性反転スイッチ６により、前記電気泳動電極２ａ，２ｂの極性を一定時間間隔で繰り返し反転させるようにしたので、蛍光検出に十分なハイブリダイゼーション強度を得ることが可能となる。
【００５２】
（実施の形態２）
以下、実施の形態２における装置について説明する。
本実施の形態２では、バッファ液槽４の回転角度、またはバイオチップ７に対する核酸の位置とその泳動方向に応じて、前記電気泳動電極２ａ，２ｂに印加する電気泳動電圧を制御するようにするものである。
まず、本実施の形態２における装置１００の構成は、前記実施の形態１と同様であるため、ここでは説明を省略する。
【００５３】
次に、本実施の形態２の装置１００の動作を図６を用いて説明する。図６は、図１に示したバッファ液槽４の、標準位置から９０度回転させた状態のバッファ液槽の断面を示す概略図である。
まず、ハイブリダイゼーションを行う際、前記バイオチップ７をチップ設置部１内に装着し、チップ設置部１に設けた注入口２１からピペットなどを利用して前記検体収容部１８へ一本鎖の核酸を電解質溶液に溶解した検体を注入する。また、もう一方のバッファ液収容部２０に対しても同様にバッファ液を注入する。
【００５４】
次に、前記チップ設置部１を前記バッファ液槽４内に仕切り板８と共に固定し、該バッファ液槽４内に、前記チップ設置部１周囲にバッファ液が十分満たされるまでバッファ液を充填し、前記蓋部９にてバッファ液槽４を密閉する。このときの当該装置１００に対するバッファ液槽４の位置を、標準位置とする。ここまでの動作は、前記実施の形態１と同様である。
【００５５】
そして、この標準位置において、前記バッファ液槽４内のバッファ液、及びチップ設置部１内の検体液或いはバッファ液をハイブリダイゼーション可能な温度まで昇温した後、前記回転機構１０により、前記バッファ液槽４を、前記バイオチップ７が水平で、且つ該バイオチップ７の上に検体収容部１８がくる位置（図６参照）で、その回転を一旦停止し、その位置において、電気泳動用電極２ａ，２ｂに、電気泳動用電源５と極性反転スイッチ６を介して電力を供給して、一定時間の電気泳動を行う。
【００５６】
そしてこの時の電界の印加方向は、図６に示す電極２ａから電極２ｂの方向（上方向）２２とすると、検体中の核酸は負の電荷を持っているため、該電界の向き２２とは逆方向、すなわち前記バイオチップ７の上から下へ電気泳動する。ところで、核酸が移動する際には、重力による影響も受ける。よって、ここでは、核酸がバイオチップの上側に位置し、且つ電界の印加方向が上向きであるので、核酸の移動度が大きいといえる。
【００５７】
前述したようにして一定時間の電気泳動を行った後、バッファ液収容部１９側に移動した核酸を引き上げて、再度前記バイオチップ７中を通過させるために、電界の方向を、図６に示す電極２ｂから電極２ａの方向（下方向）２３に切り替える。これにより、前記検体中の核酸は、該電界の向き２３とは逆方向、すなわち前記バイオチップ７の下から上へ電気泳動する。
【００５８】
このとき、前記核酸は、前記電極２ａ，２ｂ間の電界により、バイオチップ７に対して鉛直上方向へ電気泳動するが、一方で、重力による影響を受けて鉛直下方向に動く力も持つ。よって、前記バイオチップ７の上から下へ泳動させた時と同じ移動度を得るために、電極２ａ，２ｂに対して印加する電気泳動電圧を高くして、電界強度を高くするようにする。
【００５９】
このようにすれば、バイオチップ７に対する、前記検体の位置や電気泳動方向によって生じる、核酸の泳動距離差をなくして、核酸の安定した移動度を得ることができ、バイオチップ７内の各貫通孔において、さらに安定したハイブリダイゼーション強度を得ることができる。
【００６０】
なお、前述の説明では、バッファ液槽４を所定位置で一旦停止させ、その位置において電気泳動させる場合について説明したが、前記バッファ液槽４を回転中に一旦停止させず連続回転させながら電気泳動させる場合においても、前記電極２ａ，２ｂに印加する電気泳動電圧を、バイオチップ７に対して核酸の位置が上にある場合より、下にある場合の電気泳動電圧の絶対値を高く調節したり、または回転角度に応じてリアルタイム制御することで、前記同様、核酸の安定した移動度を得ることができる。
【００６１】
以上のように、本実施の形態２によれば、バッファ液槽４の回転角度またはバイオチップ７に対する核酸の位置と泳動方向によって電気泳動用電極２ａ，２ｂに印加する電気泳動電圧の絶対値を制御するようにしたので、電気泳動による強制ハイブリダイゼーションを行うとき、検体中の核酸が重力による影響を受けた場合であっても、核酸の安定した移動度を得ることができ、バイオチップ７内の各貫通孔部７ａにおいて、安定したハイブリダイゼーション強度を得ることができる。
【００６２】
（実施の形態３）
以下、実施の形態３における装置について説明する。
本実施の形態３では、当該装置１００に、バッファ液槽４中に満たされたバッファ液に含まれる残留気泡によって、電気泳動が阻害されるのを防止する残留気泡誘導壁を設けるようにしたものである。
【００６３】
まず、図７を用いて、本実施の形態３の装置の構成について説明する。図７は、本実施の形態３におけるバッファ液槽の断面を示す概略図である。
図７において、２４は、前記バッファ液槽４が回転に伴って移動する残留気泡が半透膜２０の表面に付着するのを防止する残留気泡誘導壁であり、本実施の形態３では、前記残留気泡誘導壁２４として、前記バッファ液槽４の仕切り板８によって分けられた両槽に、該各仕切り板８の開口部８ａの両端で、且つ該各仕切り板８に垂直方向に、直方体形状の板が設けられている。
なお、その他の構成は、前記実施の形態１と同様であるため、説明を省略する。
【００６４】
ここで、前記バッファ液槽４中に含まれる残留気泡は、蓋部９を取り付けてバッファ液槽４を密閉する際ときに残るものである。そして、前記残留気泡は、各槽の上方向にたまるため、前記バッファ液槽４を回転機構１０により回転させると、該残留気泡は、回転角度によっては、前記バイオチップ７の両側に設置された半透膜２０の表面に付着し、電気泳動を阻害する。
【００６５】
従って、本実施の形態３では、前記残留気泡誘導壁２４を、前記バッファ液槽４内の残留気泡がバイオチップ７の両側に配置された半透膜２０の表面を平行に移動するのを遮る位置に設けることで、前記バッファ液槽４を回転させた場合に前記残留気泡を半透膜２０表面以外の場所へと導き、該半透膜２０の表面に付着することを防止するようにする。この結果、前記バッファ液槽４を回転させた場合でも正常に電気泳動を行うことができ、前記バイオチップ７内の各貫通孔部７ａにおいて安定したハイブリダイゼーション強度を得ることができる。
【００６６】
なお、本実施の形態３では、前記残留気泡誘導壁２４を、前記バッファ液槽４の各仕切り板８の開口部８ａの両端で、且つ該各仕切り板８に対して垂直方向に設ける場合を一例に挙げたが、これに限るものではなく、該残留気泡誘導壁２４は、前記残留気泡が前記バイオチップ７の両側に配置された半透膜２０の表面を平行に移動するのを遮ることができれば、その設置位置や形状はどのようなものであってもよい。例えば、前記バッファ液槽４の回転方向が一定であるならば、前記残留気泡誘導壁２４は、各仕切り板８の開口部８ａの両端に設ける必要はなく、各仕切り板８の開口部８ａのどちらか一端に設ければよい。さらに、前記残留気泡誘導壁２４の形状も、直線形状に限らず、Ｌ字形状や、Ｓ字形状などであってもよい。
【００６７】
以上のように、本実施の形態３によれば、前記バッファ液槽４中の両槽に、前記バッファ液槽４に設けられた各仕切り板８の開口部８ａの両端で、且つ該各仕切り板８に垂直方向に、残留気泡誘導壁２４を設けるようにしたので、前記バッファ液槽４を回転させた際に前記残留気泡が半透膜２０の表面に付着するのを防止することが可能となり、この結果、正常に電気泳動を行い、前記バイオチップ７内の各貫通孔部７ａにおいて、安定したハイブリダイゼーション強度を得ることができる。
【００６８】
（実施の形態４）
以下、実施の形態４における装置について説明する。
本実施の形態４では、電気泳動時に、電気泳動電極２ａ，２ｂの表面から発生す気泡が、該電気泳動を阻害するのを防止する電極気泡防護壁を設けるようにしたものである。
【００６９】
まず、図８を用いて、本実施の形態４の装置１００の構成について説明する。図８は、本実施の形態４におけるバッファ液槽の断面を示す概略図である。
図８において、２５は、前記バッファ液槽４中の電気泳動用電極２ａ，２ｂ表面から発生する気泡が、バイオチップ７の両側に配置された半透膜２０表面に達するのを防止する電極気泡防護壁であり、本実施の形態４では、前記電極気泡防護壁２５として、前記バッファ液槽４の仕切り板８によって分けられた両槽に、電気泳動用電極２ａ，２ｂと、前記半透膜２０との間で、且つ該電極２ａ，２ｂと前記バイオチップ７の貫通孔部７ａとを結んだ直線を遮る位置に、前記仕切り板８の開口部８ａ開口幅以上の長さを有する板を設けるようにしたものである。
なお、その他の構成は、前記実施の形態１と同様であるため、説明を省略する。
【００７０】
ここで、電気泳動を行った際に前記バッファ液槽４中の電気泳動用電極２ａ，２ｂの表面から発生する気泡は、該バッファ液槽４中のバッファ液の電気分解によって発生するものである。そして、該気泡は、前記電極２ａ，２ｂから上方向に流れるため、前記バッファ液槽４を回転機構１０により回転させると、前記気泡は、回転角度によっては、前記バイオチップ７の両側に配置された半透膜２０表面に達し、電気泳動を阻害する。
【００７１】
したがって、本実施の形態４では、前記電極気泡防護壁２５を、前記バッファ液槽４の仕切り板８により仕切られた両槽の、電気泳動用電極２ａ，２ｂと前記半透膜２０とを結んだ直線を遮る位置に設けることで、前記バッファ液の電気分解によって発生する電極２ａ，２ｂからの気泡を、前記バッファ液槽４を回転させた場合に半透膜２０表面以外の場所へと導き、前記半透膜２０の表面に達するのを防止するようにする。この結果、前記バッファ液槽４を回転させた場合でも正常に電気泳動を行うことができ、前記バイオチップ７内の各貫通孔部７ａにおいて安定したハイブリダイゼーション強度を得ることができる。
【００７２】
そして、前記電極気泡防護壁２５は、前述したように、前記電気泳動用電極２ａ，２ｂと、前記半透膜２０との間で、且つ該電極２ａ，２ｂと前記バイオチップ７の貫通孔部７ａとを結んだ直線を遮る位置に設けられるため、その材質は、セルロース、アセチルセルロース、ポリアクリロニトリルあるいはポリスルホンの多孔質膜など、一定の大きさ以下の分子またはイオンのみを透過させる半透膜が望ましい。また、前記電極気泡防護壁２５は、樹脂のような絶縁体であっても良い。
【００７３】
さらに、図８に示すように、前記電極気泡防護壁２５を、前記半透膜２０に対して水平でなく、所定角度をもたせるようにすれば、前記電極２ａ，２ｂの表面からの発生する気泡を該壁２５の一方に導くことができる。
【００７４】
なお、本実施の形態４では、前記電極気泡防護壁２５として、前記バッファ液槽４の仕切り板８によって分けられた両槽に、電気泳動用電極２ａ，２ｂと前記半透膜２０との間で、且つ該電極２ａ，２ｂと前記バイオチップ７の貫通孔部７ａとを結んだ直線を遮る位置に、前記仕切り板８の開口部８ａ開口幅以上の長さの板を前記バイオチップ７に対して所定角度を持たせて設ける場合を一例に挙げたが、これに限るものではなく、該電極気泡防護壁２５は、電気泳動用電極２ａ，２ｂと前記バイオチップ７の貫通孔部７ａとを結んだ直線を遮るものであれば、その設置位置や形状はどのようなものであってもよい。さらに、前記電極気泡防護壁２５の形状も、直線形状に限らず、Ｌ字形状や、Ｓ字形状などであってもよい。
【００７５】
以上のように、本実施の形態４によれば、前記バッファ液槽４中の両槽に、電気泳動用電極２ａ，２ｂと前記バイオチップ７の貫通孔部７ａとを結んだ直線を遮る電極気泡防護壁２５を設けるようにしたので、前記バッファ液槽４を回転させた際に前記気泡が半透膜２０の表面に達するのを防止することが可能となり、この結果、正常に電気泳動を行い、前記バイオチップ７内の各貫通孔部７ａにおいて、安定したハイブリダイゼーション強度を得ることができる。
【００７６】
（実施の形態５）
以下、実施の形態５における装置について説明する。
前記実施の形態４では、電気泳動時に、電気泳動電極２ａ，２ｂの表面から発生す気泡が、該電気泳動を阻害するのを防止するために、電極気泡防護壁を設けるようにしたが、本実施の形態５では、前記電極２ａ，２ｂの配置位置を変えることで、前記気泡が電気泳動を阻害するのを防止するようにしたものである。
【００７７】
まず、図９を用いて、本実施の形態５の装置の構成について説明する。図９は、本実施の形態５におけるバッファ液槽の断面を示す概略図である。
図９に示すように、本実施の形態５では、電極２ａ，２ｂが、該電極２ａ，２ｂから前記バイオチップ７の水平面に対して下した垂線が該バイオチップ７の貫通孔部７ａに交差しない、前記バッファ液槽４の上方部分に設けられている。なお、その他の構成は、前記実施の形態１と同様であるため、説明を省略する。
【００７８】
ここで、電気泳動を行った際に前記バッファ液槽４中の電気泳動用電極２ａ，２ｂの表面から発生する気泡は、該バッファ液槽４中のバッファ液の電気分解によって発生するものである。そして、該気泡は前記電極２ａ，２ｂから上方向に流れるため、前記バッファ液槽４を回転機構１０により回転させると、その回転角度によっては、前記バイオチップ７の両側に配置された半透膜２０表面に達し、電気泳動を阻害する。
【００７９】
従って、本実施の形態５では、電気泳動用電極２ａ，２ｂを、該電極２ａ，２ｂからバイオチップ７の水平面に対して下した垂線が、前記バイオチップ７または貫通孔部７ａと交差しない位置に配置することで、前記バッファ液の電気分解によって発生する電極２ａ，２ｂからの気泡を、前記バッファ液槽４を回転させた場合に半透膜２０表面以外の場所へと導き、前記半透膜２０の表面に達するのを防止するようにする。この結果、前記バッファ液槽４を回転させた場合でも正常に電気泳動を行うことができ、バイオチップ７内の各貫通孔部７ａにおいて安定したハイブリダイゼーション強度を得ることができる。
【００８０】
なお、本実施の形態５では、電気泳動用電極２ａ，２ｂを、該電極２ａ，２ｂから前記バイオチップ７の水平面に対して下した垂線が該バイオチップ７の貫通孔部７ａに交差しない、バッファ液槽４の上方位置に設ける場合を一例に挙げたが、前記電極２ａ，２ｂから前記バイオチップ７の水平面に対して下した垂線が該バイオチップ７の貫通孔部７ａに交差しない、バッファ液槽４の下方位置に設けてもよい。
【００８１】
さらに、本実施の形態５では、前記電気泳動用電極２を一対設けるものとしたが、図１０に示すように前記電気泳動用電極２を二対、前述した前記バッファ液槽４の上方位置と下方位置に設けてもよく、バッファ液槽４内の電界の対称性を保つことを考慮に入れると、このように二対設けるほうが望ましい。なお、電界の非対称性によるハイブリダイゼーションへの影響がない場合には一対のみでも良い。
【００８２】
以上のように、本実施の形態５によれば、前記バッファ液槽４中の、電気泳動用電極２ａ，２ｂを、電極２ａ，２ｂからバイオチップ７の水平面に対して下した垂線が、前記バイオチップ７または貫通孔部７ａと交差しない位置に設けるようにしたので、前記バッファ液槽４を回転させた際に前記気泡が半透膜２０の表面に達するのを防止することが可能となり、この結果、正常に電気泳動を行い、前記バイオチップ７内の各貫通孔部７ａにおいて、安定したハイブリダイゼーション強度を得ることができる。
【００８３】
(実施の形態６)
以下、実施の形態６における装置について説明する。
前記実施の形態４では、電気泳動時に、電気泳動電極２ａ，２ｂから発生する気泡が、該電気泳動を阻害するのを防止するために、電極気泡防護壁を設けるようにしたが、本実施の形態６では、前記バッファ液槽４中のバッファ液を強制的に循環させる液送機構を設け、前記気泡を、該バッファ液の流れによって移動させて収容するようにしたものである。
【００８４】
まず、図１１を用いて、本実施の形態６の装置１００の構成について説明する。図１１は、本実施の形態６におけるバッファ液槽の断面を示す概略図である。
図１１において、本実施の形態６の装置１００は、前記バッファ液槽４の仕切り板８によって分けられた両槽に、前記バッファ液槽４中のバッファ液を強制的に循環させる液送機構を設けている。
【００８５】
前記液送機構は、前記バッファ液槽４にバッファ液を流入させるバッファ液流入口２６と、前記バッファ液槽４にバッファ液を流出させるバッファ液流出口２７と、前記バッファ液層４内外に前記バッファ液を送るための駆動部３１とを備え、前記駆動部は、前記バッファ液槽４中のバッファ液を循環させるポンプ２８と、前記バッファ液槽４と前記ポンプ２８とを結ぶバッファ液流路２９と、前記バッファ液流路２９を経由して流れてきた気泡を収容する電極気泡収容部３０とを備えるものである。
なお、その他の構成は、前記実施の形態１と同様であるため、説明を省略する。
【００８６】
ここで、電気泳動を行った際前記バッファ液槽４中電気泳動用電極２ａ，２ｂの表面から発生する気泡は、該バッファ液槽４中のバッファ液の電気分解によって発生するものである。そして、該気泡は前記電極２ａ，２ｂから上方向に流れるため、前記バッファ液槽４を回転機構１０により回転させると、その回転角度によっては、前記バイオチップ７の両側に配置された半透膜２０表面に達し、電気泳動を阻害する。
【００８７】
従って、本実施の形態６では、電気泳動用電極２ａ，２ｂと前記半透膜２０との間のバッファ液を流動させるべく、前記バッファ液槽４の前記仕切り板８により仕切られた両槽に、前記バッファ液流入口２６及びバッファ液流出口２７と、前記ポンプ２８と、前記バッファ液流路２９と、前記電極気泡回収部３０とからなる液送機構を設け、前記ポンプ２８によってバッファ液を強制的に循環させ、前記電極２ａ，２ｂからの気泡をバッファ液の流れによって前記バッファ液流出口２７へと導いて移動させ、前記バッファ液流路２９を経由して電極気泡収容部３０に収容することで、前記電極２ａ，２ｂからの気泡が前記半透膜２０の表面に達するのを防止するようにする。この結果、前記バッファ液槽４を回転させた場合でも正常に電気泳動を行うことができ、前記バイオチップ７内の各貫通孔部７ａにおいて安定したハイブリダイゼーション強度を得ることができる。
【００８８】
以上のように、本実施の形態６によれば、前記バッファ液槽４の仕切り板８によって分けられた両槽に、前記バッファ液流入口２６及びバッファ液流出口２７と、前記ポンプ２８と、前記バッファ液流路２９と、前記電極気泡回収部３０とからなる液送機構を設け、前記電極２ａ，２ｂと前記半透膜２０との間のバッファ液を強制的に流動させて、前記電極気泡回収部３０にて気泡を回収するようにしたので、前記バッファ液槽４を回転させた際に前記気泡が半透膜２０の表面に達するのを防止することが可能となり、この結果、正常に電気泳動を行い、前記バイオチップ７内の各貫通孔部７ａにおいて、安定したハイブリダイゼーション強度を得ることができる。
【００８９】
以上、バイオチップに固定されたプローブとして核酸を例示し、核酸：核酸間のハイブリダイゼーション反応に適用可能な装置に関して説明したが、該装置の使用範囲は、ハイブリダーゼーション反応に限定されるものではない。例えば、プローブとし抗体を固定し、その抗体を使用して抗原を検出する際にも使用可能である。
【産業上の利用可能性】
【００９０】
本発明の装置は、核酸、タンパク質等の生体関連物質を電気泳動させる電気泳動装置全般に適用可能である。
【図面の簡単な説明】
【００９１】
【図１（ａ）】本発明の実施の形態１における装置の構成を示す図である。
【図１（ｂ）】本発明の実施の形態１における装置のＡ−Ａ断面図である。
【図２（ａ）】本発明の実施の形態１における装置のバイオチップの詳細な構成を示す図である。
【図２（ｂ）】本発明の実施の形態１における装置のチップ設置部の詳細な構成を示す図である。
【図３】本発明の実施の形態１におけるバイオチップの回転軸とその回転動作を示す図である。
【図４】本発明の実施の形態１におけるバイオチップの回転軸とその回転動作の別の例を示す図である。
【図５（ａ）】本発明の実施の形態１におけるバイオチップの回転軸とその回転動作の例を示す図である。
【図５（ｂ）】本発明の実施の形態１におけるバイオチップの回転軸とその回転動作の別の例を示す図である。
【図５（ｃ）】本発明の実施の形態１におけるバイオチップの回転軸とその回転動作のさらに別の例を示す図である。
【図６】本発明の実施の形態２における装置のバッファ液槽の断面概略図である。
【図７】本発明の実施の形態３における装置のバッファ液槽の断面概略図である。
【図８】本発明の実施の形態４における装置のバッファ液槽の断面概略図である。
【図９】本発明の実施の形態５における装置のバッファ液槽の断面概略図である。
【図１０】本発明の実施の形態５における装置のバッファ液槽の別の例を示す断面概略図である。
【図１１】本発明の実施の形態６における装置の構成を示す図である。
【図１２】従来の装置の構成を示す図である。
【図１３】従来のマイクロアレイチップの構成を示す図である。
【図１４】従来の装置の別の構成を示す図である。
【符号の説明】
【００９２】
１  チップ設置部
２，２ａ，２ｂ  電気泳動用電極
３  電源部
４  バッファ液槽
５  電気泳動用電源
６  極性反転スイッチ
７  バイオチップ
７ａ  貫通孔部
８  仕切り板
８ａ  開口部
９  蓋部
１０  回転機構
１１  回転軸部
１２  回転軸支持部
１３  バッファ液槽ギア部
１４  モータギア部
１５  モータ
１６  モータ制御部
１７  バッテリー部
１８  検体収容部
１９  バッファ液収容部
２０  半透膜
２１  注入口
２２  電界の向き（上方向）
２３  電界の向き（下方向）
２４  残留気泡誘導壁
２５  電極気泡防護壁
２６  バッファ液流入口
２７  バッファ液流出口
２８  ポンプ
２９  バッファ液流路
３０  電極気泡収容部
３１  駆動部
１００  装置
【図１（ａ）】
0004809687.tif 000002
【図１（ｂ）】
0004809687.tif 000003
【図２（ａ）】
0004809687.tif 000004
【図２（ｂ）】
0004809687.tif 000005
【図３】
0004809687.tif 000006
【図４】
0004809687.tif 000007
【図５（ａ）】
0004809687.tif 000008
【図５（ｂ）】
0004809687.tif 000009
【図５（ｃ）】
0004809687.tif 000010
【図６】
0004809687.tif 000011
【図７】
0004809687.tif 000012
【図８】
0004809687.tif 000013
【図９】
0004809687.tif 000014
【図１０】
0004809687.tif 000015
【図１１】
0004809687.tif 000016
【図１２】
0004809687.tif 000017
【図１３】
0004809687.tif 000018
【図１４】
0004809687.tif 000019